(57)【要約】【課題】映像を視聴している視聴者側の状態を考慮して映像の編集を行う。【解決手段】映像編集装置１０は、映像コンテンツを視聴している視聴者の様子を示した視聴者映像から視聴者の特徴的な行動をとった箇所の撮影時刻を記録する。次に、映像編集装置１０は、映像コンテンツのうち、特徴的な行動をとった撮影時刻に対応する箇所から所定範囲の時間帯の映像データを抽出する。そして、映像編集装置１０は、抽出された映像データを時系列につなぎ合わせた編集映像を作成する。【選択図】図１
2015082691.tif 000002
【特許請求の範囲】
【請求項１】
映像コンテンツを視聴しているときの視聴者を撮影した視聴者映像から前記視聴者の特徴的な行動を検出する特徴行動検出部と、
前記映像コンテンツのうち、前記特徴的な行動を検出した前記視聴者映像の撮影時刻に対応する箇所を記録する映像特定部と、
前記特徴的な行動が検出された前記視聴者映像の撮影時刻に対応する箇所から所定範囲の時間帯の映像データを、前記映像コンテンツから抽出する映像抽出部と、
前記抽出された映像データを時系列につなぎ合わせた編集映像を作成する編集映像作成部と、
を備えることを特徴とする映像編集装置。
【請求項２】
前記視聴者映像は、前記視聴者を撮影した画像および前記視聴者の音声を含み、
前記特徴行動検出部は、
前記画像および音声の少なくともいずれか一方に、所定量の変化があったときに特徴的な行動を検出することを特徴とする請求項１に記載の映像編集装置。
【請求項３】
映像コンテンツを視聴しているときの視聴者を撮影した視聴者映像から前記視聴者の特徴的な行動を検出するステップと、
前記映像コンテンツのうち、前記特徴的な行動を検出した前記視聴者映像の撮影時刻に対応する箇所を記録するステップと、
前記特徴的な行動が検出された前記視聴者映像の撮影時刻に対応する箇所から所定範囲の時間帯の映像データを、前記映像コンテンツから抽出するステップと、
前記抽出された映像データを時系列につなぎ合わせた編集映像を作成するステップと、
を映像編集装置が実行することを特徴とする映像編集方法。
【請求項４】
映像コンテンツを視聴しているときの視聴者を撮影した視聴者映像から前記視聴者の特徴的な行動を検出するステップと、
前記映像コンテンツのうち、前記特徴的な行動を検出した前記視聴者映像の撮影時刻に対応する箇所を記録するステップと、
前記特徴的な行動が検出された前記視聴者映像の撮影時刻に対応する箇所から所定範囲の時間帯の映像データを、前記映像コンテンツから抽出するステップと、
前記抽出された映像データを時系列につなぎ合わせた編集映像を作成するステップと、
をコンピュータに実行させることを特徴とする映像編集プログラム。
【発明の詳細な説明】
【技術分野】
【０００１】
本発明は、映像編集装置、映像編集方法、および、映像編集プログラムに関する。
【背景技術】
【０００２】
従来、映像コンテンツ等のダイジェスト映像を作成する技術が提案されている。特許文献１には、映像コンテンツ中、登場人物等の感情（悲しい、楽しい）の表出があった箇所を抽出し、ダイジェスト映像を作成する技術が開示されている。
【先行技術文献】
【特許文献】
【０００３】
【特許文献１】特開２００９−１１１９３８号公報
【発明の概要】
【発明が解決しようとする課題】
【０００４】
しかし、前記した技術により作成されたダイジェスト映像は、映像コンテンツの登場人物の感情の表出があった箇所を抽出したものに過ぎない。つまり、映像の視聴者側の状態は考慮されていない。そこで、本発明は、前記した問題を解決し、映像の視聴者側の状態を考慮して映像の編集を行うことを課題とする。
【課題を解決するための手段】
【０００５】
前記した課題を解決するため、本発明は、映像コンテンツを視聴しているときの視聴者を撮影した視聴者映像から前記視聴者の特徴的な行動を検出する特徴行動検出部と、前記映像コンテンツのうち、前記特徴的な行動を検出した前記視聴者映像の撮影時刻に対応する箇所を記録する映像特定部と、前記特徴的な行動が検出された前記視聴者映像の撮影時刻に対応する箇所から所定範囲の時間帯の映像データを、前記映像コンテンツから抽出する映像抽出部と、前記抽出された映像データを時系列につなぎ合わせた編集映像を作成する編集映像作成部と、を備えることを特徴とする映像編集装置とした。
【発明の効果】
【０００６】
本発明によれば、視聴者側の状態を考慮した映像の編集を行うことができる。
【図面の簡単な説明】
【０００７】
【図１】図１は、本実施形態の概要を説明する図である。
【図２】図２は、図１の映像編集装置を含むシステムの構成例を示す図である。
【図３】図３は、図２の映像編集装置の処理手順を示すフローチャートである。
【図４】図４は、図２の特徴行動検出部の処理の詳細を説明する図である。
【図５】図５は、図２の映像特定部の処理の詳細を説明する図である。
【図６】図６は、図２の映像抽出部の処理の詳細を説明する図である。
【図７】図７は、図２の編集映像作成部の処理の詳細を説明する図である。
【図８】図８は、映像編集プログラムを実行するコンピュータを示す図である。
【発明を実施するための形態】
【０００８】
（概要）
以下、図面を参照しながら、本発明の実施形態を説明する。まず、本実施形態の概要を説明する。図１は、本実施形態の概要を説明する図である。ここでは、映像コンテンツがテレビ番組であり、テレビ番組の受像機は、映像編集装置１０の外部に設置される場合について説明する。また、映像編集装置１０は、外部に設置されるカメラ（撮影装置）により映像コンテンツを視聴する視聴者の様子を撮影する場合について説明する。なお、ここでは映像コンテンツの録画と、当該映像コンテンツの視聴者の様子を収めた映像の撮影とは同時に開始される場合を例に説明する。以下に、映像編集装置１０の処理の概要を説明する。
【０００９】
図１に示すように、
（１）まず、視聴者がテレビ番組の視聴を開始すると同時に、映像編集装置１０は、テレビ番組の映像と視聴者の映像を録画する。
（２）映像編集装置１０は、視聴者の映像から、視聴者の特徴的な行動を検出し、検出時の時刻のリストを作成する。
（３）映像編集装置１０は、リストに基づき、リストの各時刻に対応するテレビ番組の映像を特定し、その時刻の前後所定範囲の映像を抽出する。
（４）映像編集装置１０は、抽出した複数の映像をつなぎ合わせ、録画したテレビ映像の編集映像（要約コンテンツ）を作成する。
【００１０】
このようにすることで、映像編集装置１０は、視聴者の行動に基づき、映像コンテンツの編集映像を作成することができる。例えば、映像コンテンツの視聴者が、笑ったり、手や足を動かしたりする等の行動（アクション）を起こしたとき、映像編集装置１０は、その行動を起こしたときの部分映像を時系列につなぎ合わせた編集映像を作成する。これにより、例えば、視聴者が面白いと思ったり、感情を揺さぶられたりした箇所をまとめた編集映像を作成することができる。
【００１１】
（構成）
次に、図２を用いて、映像編集装置１０の構成を説明する。図２は、図１の映像編集装置を含むシステムの構成例を示す図である。なお、ここでは映像コンテンツの受像機としてチューナー２を用いる場合を例に説明する。
【００１２】
図２に示すように、システムは、カメラ（撮影装置）１、チューナー２、表示装置（出力装置）３、映像編集装置１０を備える。
【００１３】
カメラ１は、映像コンテンツを視聴している視聴者の様子を撮影する。このカメラ１は、視聴者の映像のみならず、視聴者の音声を収録する機能を備えていてもよい。そして、カメラ１は、撮影した視聴者の映像を映像編集装置１０へ出力する。
【００１４】
チューナー２は、テレビ番組等の映像コンテンツを受信し、映像編集装置１０へ出力する。
【００１５】
表示装置３は、映像編集装置１０から出力された映像や音声を出力する。この表示装置３は、例えば、映像コンテンツや、視聴者の映像、編集映像等を表示する。
【００１６】
映像編集装置１０は、入出力部１１、制御部１２、記憶部１３を備える。
【００１７】
入出力部１１は、カメラ１、チューナー２、表示装置３等との間の入出力インタフェースを司る。この入出力部１１は、インターネット等のネットワーク経由で通信を行うための通信インタフェースの機能を備えていてもよい。
【００１８】
制御部１２は、映像編集装置１０全体の制御を司る。この制御部１２は、受信処理部１２０、録画部１２１、再生部１２２、編集部１２３を備える。
【００１９】
受信処理部１２０は、外部装置からのデータの受信を行う。例えば、受信処理部１２０は、カメラ１からの視聴者の映像や、チューナー２からの映像コンテンツの受信を行う。
【００２０】
録画部１２１は、受信処理部１２０で受信したデータを記憶部１３に記憶する。例えば、録画部１２１は、受信処理部１２０で受信した視聴者の映像や映像コンテンツを記憶部１３の所定領域に記憶する。
【００２１】
再生部１２２は、記憶部１３に記憶された情報を入出力部１１経由で表示装置３へ出力する。例えば、再生部１２２は、入出力部１１からの指示入力に基づき、記憶部１３の映像コンテンツや、視聴者の映像、編集映像等を表示装置３へ出力する。
【００２２】
編集部１２３は、記憶部１３に記憶された映像コンテンツと、その映像コンテンツを視聴している視聴者の映像とを用いて、編集映像を作成する。具体的には、編集部１２３は、視聴者の映像から、視聴者の特徴的な行動を検出すると、その行動を検出した時刻における映像コンテンツの部分映像を抽出する。そして、編集部１２３は、抽出した部分映像をつなぎ合わせて編集映像を作成する。
【００２３】
この編集部１２３は、特徴行動検出部１２４、映像特定部１２５、映像抽出部１２６、編集映像作成部１２７を備える。
【００２４】
特徴行動検出部１２４は、記憶部１３に記憶された視聴者の映像（視聴者映像）から視聴者の特徴的な行動を検出する。そして、特徴行動検出部１２４は、特徴的な行動を検出した視聴者映像の撮影時刻を記録する。例えば、特徴行動検出部１２４は、特徴的な行動を検出した視聴者映像の撮影時刻や、視聴者映像の撮影開始からの経過時刻の一覧を示したリストを作成する。ここでの特徴的な行動とは、例えば、視聴者が手や足を動かす、視聴者が顔の表情を変える等である。この特徴行動検出部１２４による特徴的な行動の検出の詳細は、具体例をまじえながら後記する。
【００２５】
映像特定部１２５は、特徴行動検出部１２４により特徴的な行動が検出された視聴者映像の撮影時刻（または視聴者映像の撮影開始からの経過時刻）に対応する映像コンテンツの場所を特定する。例えば、リストに示される時刻が視聴者の特徴的な行動を検出した視聴者映像の撮影時刻である場合、映像特定部１２５は、リストに示された視聴者映像の撮影時刻に相当する、映像コンテンツの場所（例えば、映像コンテンツの録画開始からの経過時間等）を特定する。
【００２６】
映像抽出部１２６は、映像特定部１２５により特定された映像コンテンツの場所ごとに、前後所定範囲の時間帯の映像を抽出する。
【００２７】
編集映像作成部１２７は、映像抽出部１２６により抽出された映像を時系列につなぎ合わせた編集映像を作成し、記憶部１３に記憶する。なお、作成された編集映像は、入出力部１１経由で、表示装置３等へ出力してもよい。
【００２８】
記憶部１３は、制御部１２により出力されたデータを記憶する。例えば、記憶部１３は、所定領域に、制御部１２から出力された映像コンテンツ、視聴者の映像、編集映像等を記憶する。
【００２９】
なお、映像編集装置１０には、映像コンテンツや視聴者の映像の受信や記録（録画）の開始や終了、編集映像の作成指示等の入力を受け付ける入力装置が接続されていてもよい。
【００３０】
（処理手順）
次に、図３を用いて映像編集装置１０の処理手順を説明する。図３は、図２の映像編集装置の処理手順を示すフローチャートである。
【００３１】
まず、映像編集装置１０の受信処理部１２０は、チューナー２等から映像コンテンツと視聴者の映像（視聴者映像）を受信する（Ｓ１）。そして、録画部１２１は、Ｓ１で受信した映像コンテンツと視聴者映像の録画を開始する（Ｓ２）。次に、録画部１２１が、映像コンテンツと視聴者映像の録画を停止する（Ｓ３）。その後、映像編集装置１０の入出力部１１経由で映像コンテンツの編集指示（編集映像の作成指示）の入力を受け付けると（Ｓ４）、編集部１２３は、映像コンテンツの編集を開始する。すなわち、まず、編集部１２３の特徴行動検出部１２４は、録画した視聴者映像から視聴者の特徴的行動を検出する（Ｓ５）。そして、特徴行動検出部１２４は、特徴的行動の時刻のリストを作成する（Ｓ６）。つまり、特徴行動検出部１２４は、視聴者映像から特徴的行動を検出した箇所の時刻を示したリストを作成する。
【００３２】
Ｓ６の後、映像特定部１２５は、記憶部１３から映像コンテンツ（視聴者が視聴したコンテンツ）を取得する（Ｓ７）。そして、映像特定部１２５は、Ｓ６で作成されたリストに示される各時刻に対応する映像コンテンツの場所（例えば、映像コンテンツの録画開始からの経過時刻）を特定する（Ｓ８）。次に、映像抽出部１２６は、Ｓ８で特定された映像コンテンツの場所の前後の部分映像を所定時間分抽出する（Ｓ９）。そして、編集映像作成部１２７は、Ｓ９で抽出された部分映像を時系列につなぎ合わせて編集映像を作成する（Ｓ１０）。
【００３３】
このようにすることで、映像編集装置１０は、映像コンテンツの視聴者が特徴的な行動をとった箇所をまとめた編集映像を作成することができる。
【００３４】
次に、図４〜図７を用いて、映像編集装置１０の制御部の処理の詳細を、具体例をまじえながら説明する。図４は、図２の特徴行動検出部の処理の詳細を説明する図である。図５は、図２の映像特定部の処理の詳細を説明する図である。図６は、図２の映像抽出部の処理の詳細を説明する図である。図７は、図２の編集映像作成部の処理の詳細を説明する図である。
【００３５】
まず、映像編集装置１０の特徴行動検出部１２４は、視聴者映像の録画開始時刻から、設定された時間間隔で静止画像を取り出す（図４のＳ１１）。そして、特徴行動検出部１２４は、視聴者映像の最後の静止画像か否かを判定し（Ｓ１２）、最後の静止画像であれば（Ｓ１２で「最後」）、図５のＳ２１へ進み、最後の静止画像でなければ（Ｓ１２で「最後ではない」）、取り出した画像の前後の２つの静止画像を比較し、画像の変化が設定された閾値以上か否かを判定する（Ｓ１３）。ここで、特徴行動検出部１２４が、取り出した画像の変化が設定された閾値以上であると判定した場合（Ｓ１３で「閾値以上」）、２つの静止画像の中間の時刻をリストに載せ（Ｓ１４）、Ｓ１１へ戻る。また、Ｓ１３において、特徴行動検出部１２４が前後２つの静止画像を比較し、画像の変化が所定の閾値未満と判定した場合（Ｓ１３で「閾値未満」）も、Ｓ１１へ戻る。
【００３６】
特徴行動検出部１２４が、上記の処理を繰り返すことで、例えば、視聴者の特徴的行動が検出された時刻を示すリスト４０１を作る。図４に示すリスト４０１において、Action1は、Ａ１時Ａ２分Ａ３秒に検出され、Action2は、Ｂ１時Ｂ２分Ｂ３秒に検出されたことを示す。
【００３７】
図５の説明に移る。特徴行動検出部１２４が、図４のＳ１１で取り出した静止画像は最後の静止画像と判定したとき（Ｓ１２で「最後」）、映像特定部１２５は、各時刻を載せたリストを読み出し、読み出していない項目がまだあるか否かを判定する（Ｓ２１）。ここで、映像特定部１２５は、リストに読み出していない項目がないと判定したとき（Ｓ２１で「なし」）、図６のＳ３１へ進み、リストに読み出していない項目がまだあると判定したとき（Ｓ２１で「まだある」）、リストの１項目（まだ読み出していない項目群のうち１項目）を読み出し、項目の時刻に対応する映像コンテンツの部分をマークする（Ｓ２２）。そして、Ｓ２１へ戻る。
【００３８】
映像特定部１２５が、上記の処理を繰り返すことで、例えば、図５の符合４０１に示すリストの各時刻（Action1の時刻、Action2の時刻、Action3の時刻）が符号５０１に示す映像コンテンツの録画開始時刻から録画停止時刻までの間にマークされ、符号５０２に示す状態になる。
【００３９】
図６の説明に移る。図５のＳ２１で、リストに読み出していない項目がないと判定されたとき（Ｓ２１で「なし」）、映像抽出部１２６は、映像コンテンツのマークを読み出し、まだ読み出していないマークがあるか否かを判定する（図６のＳ３１）。ここで、映像抽出部１２６が、まだ読み出していないマークがあると判定したとき（Ｓ３１で「まだある」）、読み出していないマークの１項目を読み出し、マーク前後の部分映像を所定時間分抽出する（Ｓ３２）。その後、Ｓ３１へ戻り、映像抽出部１２６において、映像コンテンツ中、読み出していないマークがないと判定すると（Ｓ３１で「なし」）、図７のＳ４１へ進む。
【００４０】
映像抽出部１２６が、上記の処理を繰り返すことで、例えば、図６の符号６０１に示すように、映像コンテンツのマーク（Action1の時刻、Action2の時刻、Action3の時刻）それぞれの前後の部分映像（部分映像１,２,３）が所定時間分抽出され、記憶部１３に個別に保存される。
【００４１】
図７の説明に移る。編集映像作成部１２７は、図６のＳ３２で抽出された部分映像を読み出し、まだ読み出していない部分映像があるか否かを判定する（図７のＳ４１）。ここで、編集映像作成部１２７が、まだ読み出していない部分映像があると判定したとき（Ｓ４１で「まだある」）、読み出した部分映像のうち、先の部分映像に後の部分映像をつなぎ合わせる（Ｓ４２）。つまり、編集映像作成部１２７は、映像コンテンツから切り出した部分映像を時系列につなぎ合わせる。そして、Ｓ４１へ戻る。一方、編集映像作成部１２７が読み出していない部分映像はないと判定したとき（Ｓ４１で「なし」）、つなぎ合わせた映像を編集映像として記憶部１３に保存する（Ｓ４３）。
【００４２】
編集映像作成部１２７が上記の処理を繰り返すことで、例えば、図７の符号７０１に示すように、映像コンテンツ中、Action1の時刻、Action2の時刻、Action3の時刻それぞれに対応する部分映像（部分映像１〜３）をつなぎ合わせた編集映像が作成される。なお、この編集映像は、符号７０１に例示するように各部分映像が、どの時刻にどのような行動をとったときのものかを示すメタデータを含んでいてもよい。
【００４３】
上記の映像編集装置１０によれば、映像コンテンツ中、映像コンテンツの視聴者が特徴的な行動をとった箇所の編集映像を作成することができる。例えば、映像編集装置１０は、視聴者が視聴した映像コンテンツのうち、特に感動した箇所や、面白かった箇所のダイジェスト版を作成できる。
【００４４】
（その他の実施形態）
なお、映像コンテンツは、テレビ番組等の放送番組である場合を例に説明したが、これに限定されない。例えば、映像コンテンツは、予め録画された映像コンテンツであってもよい。この場合、映像編集装置１０の再生部１２２は、記憶部１３に予め記憶（録画）された映像コンテンツを表示装置３に出力する。そして、カメラ１は、その再生された映像コンテンツを視聴している視聴者の様子を撮影し、映像編集装置１０に出力する。
【００４５】
また、映像編集装置１０は、映像コンテンツ中、視聴者が特徴的な行動をとった箇所にマークを入れた後、映像コンテンツの編集映像を作成することとしたが、これに限定されない。例えば、映像編集装置１０が、映像コンテンツ中、視聴者が特徴的な行動をとった箇所にマークを入れた状態で、記憶部１３に記憶しておく。つまり、映像編集装置１０は、映像コンテンツにおいて、特徴的な行動をとった箇所にチャプターマークを挿入する。そして、視聴者等から、映像編集装置１０に対し、録画された映像コンテンツの再生指示があった場合、そのマークがあった箇所を検出し、この箇所にジャンプして再生できるようにしてもよい。つまり、映像編集装置１０に、チャプターマークを指定した映像コンテンツの再生指示が入力されたとき、再生部１２２は、映像コンテンツ中、チャプターマークの挿入された箇所以降の映像を表示装置３へ出力する。さらに、特徴行動検出部１２４は、映像コンテンツ中、マークを入れた箇所に特徴的な行動の概要等を示すメタ情報を付加してもよい。このようにすることで、映像編集装置１０の利用者（例えば、視聴者）は、映像コンテンツ中、視聴者がどのような行動をとった箇所を再生させたいか指示しやすくなる。
【００４６】
また、特徴行動検出部１２４が、視聴者映像から変化を検出する領域は、視聴者映像のすべての領域ではなく、所定の領域（例えば、視聴者の顔、手、足の領域）であってもよい。このようにすることで、特徴行動検出部１２４は、視聴者の特徴的な行動を精度よく検出することができる。
【００４７】
また、特徴行動検出部１２４は、視聴者映像における視聴者の映像および音声のいずれか、または、これらの組み合わせについて、所定の閾値以上の変化があったときに特徴的な行動を検出するようにしてもよい。このようにすることでも、特徴行動検出部１２４は、視聴者の特徴的な行動を精度よく検出することができる。
【００４８】
また、特徴行動検出部１２４は、特徴的な行動の動きを示すパターンを記憶部１３に記憶しておき、視聴者映像に、このパターンに該当する動きがあったとき、特徴的な行動を検出するようにしてもよい。
【００４９】
また、特徴行動検出部１２４が、視聴者映像から特徴的な行動を検出する領域や映像、音声の閾値、動きのパターンについては、映像編集装置１０に特徴行動設定情報として記憶部１３に設定しておき、映像編集装置１０の利用者（例えば、視聴者）が書き換え可能としてもよい。このようにすることで、映像編集装置１０の利用者（例えば、視聴者等）は、特徴的な行動の検出を、利用者が所望するような行動に設定することができる。
【００５０】
なお、前記した実施形態において、映像コンテンツの録画開始と、視聴者映像の撮影開始とは同時である場合を例に説明したが、これに限定されない。例えば、映像コンテンツの録画開始時刻と、視聴者映像の撮影開始時刻とにずれがある場合、映像特定部１２５は、この開始時刻のずれを考慮して、特徴行動検出部１２４により作成されたリストに示される各時刻に対応する映像コンテンツの場所を特定する。
【００５１】
（プログラム）
また、上記実施形態に係る映像編集装置１０が実行する処理をコンピュータが実行可能な言語で記述したプログラムを作成することもできる。この場合、コンピュータがプログラムを実行することにより、上記実施形態と同様の効果を得ることができる。さらに、かかるプログラムをコンピュータ読み取り可能な記録媒体に記録して、この記録媒体に記録されたプログラムをコンピュータに読み込ませて実行することにより上記実施形態と同様の処理を実現してもよい。以下に、映像編集装置１０と同様の機能を実現する映像編集プログラムを実行するコンピュータの一例を説明する。
【００５２】
図８は、映像編集プログラムを実行するコンピュータを示す図である。図８に示すように、コンピュータ１０００は、例えば、メモリ１０１０と、ＣＰＵ１０２０と、ハードディスクドライブインタフェース１０３０と、ディスクドライブインタフェース１０４０と、シリアルポートインタフェース１０５０と、ビデオアダプタ１０６０と、ネットワークインタフェース１０７０とを有する。これらの各部は、バス１０８０によって接続される。
【００５３】
メモリ１０１０は、ＲＯＭ（Read  Only  Memory）１０１１およびＲＡＭ１０１２を含む。ＲＯＭ１０１１は、例えば、ＢＩＯＳ（Basic  Input  Output  System）等のブートプログラムを記憶する。ハードディスクドライブインタフェース１０３０は、ハードディスクドライブ１０９０に接続される。ディスクドライブインタフェース１０４０は、ディスクドライブ１０４１に接続される。ディスクドライブ１０４１には、例えば、磁気ディスクや光ディスク等の着脱可能な記憶媒体が挿入される。シリアルポートインタフェース１０５０には、例えば、マウス１１１０およびキーボード１１２０が接続される。ビデオアダプタ１０６０には、例えば、ディスプレイ１１３０が接続される。
【００５４】
ここで、図８に示すように、ハードディスクドライブ１０９０は、例えば、ＯＳ１０９１、アプリケーションプログラム１０９２、プログラムモジュール１０９３およびプログラムデータ１０９４を記憶する。上記実施形態で説明した各テーブルは、例えばハードディスクドライブ１０９０やメモリ１０１０に記憶される。
【００５５】
また、映像編集プログラムは、例えば、コンピュータ１０００によって実行される指令が記述されたプログラムモジュールとして、ハードディスクドライブ１０９０に記憶される。具体的には、上記実施形態で説明した映像編集装置１０が実行する各処理が記述されたプログラムモジュールが、ハードディスクドライブ１０９０に記憶される。
【００５６】
また、映像編集プログラムによる情報処理に用いられるデータは、プログラムデータとして、例えば、ハードディスクドライブ１０９０に記憶される。そして、ＣＰＵ１０２０が、ハードディスクドライブ１０９０に記憶されたプログラムモジュール１０９３やプログラムデータ１０９４を必要に応じてＲＡＭ１０１２に読み出して、上述した各手順を実行する。
【００５７】
なお、映像編集プログラムに係るプログラムモジュール１０９３やプログラムデータ１０９４は、ハードディスクドライブ１０９０に記憶される場合に限られず、例えば、着脱可能な記憶媒体に記憶されて、ディスクドライブ１０４１等を介してＣＰＵ１０２０によって読み出されてもよい。あるいは、映像編集プログラムに係るプログラムモジュール１０９３やプログラムデータ１０９４は、ＬＡＮ（Local  Area  Network）やＷＡＮ（Wide  Area  Network）等のネットワークを介して接続された他のコンピュータに記憶され、ネットワークインタフェース１０７０を介してＣＰＵ１０２０によって読み出されてもよい。
【符号の説明】
【００５８】
２      チューナー
３      表示装置
１０    映像編集装置
１１    入出力部
１２    制御部
１３    記憶部
１２０  受信処理部
１２１  録画部
１２２  再生部
１２３  編集部
１２４  特徴行動検出部
１２５  映像特定部
１２６  映像抽出部
１２７  編集映像作成部
【図１】
2015082691.tif 000003
【図２】
2015082691.tif 000004
【図３】
2015082691.tif 000005
【図４】
2015082691.tif 000006
【図５】
2015082691.tif 000007
【図６】
2015082691.tif 000008
【図７】
2015082691.tif 000009
【図８】
2015082691.tif 000010